(57)【要約】　　　（修正有）【課題】水分が多く結着しやすい性質をもつ有機肥料等の粉状物または粒状物の散布物を、ホッパーから円滑に定量づつ散布させ、且つホッパー内で結着させることを防止できる散布装置を提供し、農作業の効率化を図る。【解決手段】ホッパー１の底部開口２に、切欠のある蓋体３の円弧面を摺接させ、且つ蓋体を回転揺動するよう枢支し、この蓋体の支軸に固定した揺動アーム６を回転カム１０に係脱させ、原動機９にて回転カムを回転するとき、閉塞方向に附勢せるスプリング８の附勢力に抗して揺動アームを回転させ、ホッパーの開口との間で出来る隙間を作成し、所定量を散布させると同時に被散布物の噛砕作用をさせ、更に、カムとアームの係合が外れるとき、スプリングにて揺動アームをストッパー１１に衝突させ、振動を生じさせて散布物の結着を防止する。【選択図】　　　図１
2004008050.tif 000002
【特許請求の範囲】
【請求項１】
粉状物または粒状物を散布する散布装置であって、下部に排出口を有するホッパーと、前記ホッパーの排出口に摺接して回転揺動自在に設けた蓋体と、前記蓋体を枢支すると共に前記蓋体に回転揺動力を与える揺動アームと、前記揺動アームと係脱するカムと、前記カムを回転駆動する動力源とからなる粉状物または粒状物の散布装置。
【請求項２】
前記蓋体には、前記排出口に対して迫り出した円弧面を有することを特徴とする請求項１の粉状物または粒状物の散布装置。
【請求項３】
前記蓋体の一端に複数の切欠を有することを特徴とする請求項１乃至２の粉状物または粒状物の散布装置。
【請求項４】
前記揺動アームを一方向に附勢する手段を有することを特徴とする請求項１乃至３の粉状物または粒状物の散布装置。
【請求項５】
前記揺動アームの揺動範囲を規制する調節自在のストッパーを有することを特徴とする請求項１乃至４の粉状物または粒状物の散布装置。
【請求項６】
前記揺動アームとカムとの係合が外れるとき、揺動アームをストッパーに衝突させて、前記揺動アームを介してホッパー内の被散布物に振動を伝達する手段を有することを特徴とする請求項１乃至５の粉状物または粒状物の散布装置。
【発明の詳細な説明】
【０００１】
【発明の属する技術分野】
本発明は、粉状物または粒状物の散布装置に関し、更に詳しくは農地に肥料等の散布を行う肥料等散布装置に関する。
【０００２】
【従来の技術】
一般に、この粉状物または粒状物の散布装置は、例えば、特開平８−４７３１６号公報に示されるように、肥料等を収納したホッパーの下部に排出口が設けられていて、この排出口の開口度を上下に調節して、肥料等を散布するものが一般的に提供されている。その肥料は、元肥や追肥として有機肥料が使用される。しかしながら、この有機肥料の製品は、水分率が高くホッパー内で結着しやすいもので、従来の散布装置では、排出口や散布量調節部等での目詰まりが生じやすいく、あるいはホッパー内の有機肥料が空洞化するなど安定した肥料の散布が出来ない欠点を有し、作業者が、ホッパー内の固まった肥料を砕いたりする等の手作業を加えなければならない不具合を有していた。
【０００３】
【発明の解決が解決しようとする課題】
而して、従来技術においては、ホッパー内に回転部材を配置させて、肥料等の固まるのを防ぐためのものがあり、例えば、特開２０００−７８９２５公報等が提案されているが、尚充分な解決に至っていない。しかも、装置が複雑になり、一端固まった被散布物を解すのに多大の労力と時間をかけ、手作業による散布を余儀なくされるという欠点を有していた。
【０００４】
従って、本発明は、そのような問題点に着目してなされたもので、ホッパー内の被散布物が固まることなく容易に円滑に散布される粉体物または粒状物の散布装置を提供することを目的とするものである。
【０００５】
【課題を解決するための手段】
前記課題を解決するために、第一の発明の粉体物または粒状物の散布装置は、下部に排出口を有するホッパーと、前記ホッパーの排出口に摺接して回転揺動自在に設けた蓋体と、前記蓋体を枢支すると共に前記蓋体を揺動すべく駆動力を与える揺動アームと、前記アームと係脱するカムと、前記カムを回転駆動する動力源とからなるものである。
【０００６】
また、第二の発明の粉状物または粒状物の散布装置は、前記蓋体には、前記排出口に対して迫り出した円弧面を有するものである。
【０００７】
更にまた、第三の発明の粉状物または粒状物の散布装置は、前記蓋体の一端に複数の切欠口を有するものである。
【０００８】
また、第四の発明の粉状物または粒状物の散布装置は、前記アームを一方向に附勢する手段を有するものである。
【０００９】
また、第五の発明の粉状物または粒状物の散布装置は、前記アームの揺動範囲を規制する調節自在のストパーを有するものである。
【００１０】
また、第六の発明の粉状物または粒状物の散布装置は、前記揺動アームとカムとの係合が外れるとき、揺動アームをストッパーに衝突させて、前記揺動アームを介してホッパー内の被散布物に振動を伝達する手段を有するものである。
【００１１】
【作用】
本発明の第一の発明における粉状物または粒状物の散布装置は、下部に排出口を有するホッパーと、前記ホッパーの排出口に摺接して回転揺動自在に設けた蓋体と、前記蓋体を枢支すると共に前記蓋体を揺動すべく駆動力を与える揺動アームと、前記アームと係脱するカムと、前記カムを回転駆動する動力源とからなるものであるので、前記ホッパーの下部に設けた蓋体は、排出口に摺設しているため、粉体物または粒状物が排出口付近で固まろうとしても、蓋体は、排出口で固まった排出物を噛み砕くように作用し、しかも定量の排出を維持することができる。
【００１２】
さらに、第二の発明にかかる粉状物または粒状物の散布装置は、前記蓋体には、前記排出口に対して迫り出した円弧面を有するものであるので、蓋体の排出口での摺接移動時に、排出口内部に迫り出して設けられているので、常に粉体物または粒状物を排出口付近で、持ち上げた状態で攪拌作用を起こすと共に噛砕作用を生じさせ、被排出物は固まるのを防止する働きをする。
【００１３】
さらにまた、第三の発明にかかる粉状物または粒状物の散布装置は、前記蓋体の一端に複数の切欠を有するものであるので、単に全面で隙間を空けてその隙間によって排出量を調整するのでなく、この切欠と排出口の端縁との間で被排出物を常に噛砕作用を保ちながら、排出量の微調整を行うことが出来、噛み砕き作用と排出量の微調整を同時に行う作用をする。
【００１４】
さらに、第四の発明によれば、前記アームを一方向に附勢する手段を有するものであるので、アームを常に所定方向に附勢してホッパーの排出口を閉塞させておくことが出来、この附勢力に抗して蓋体を移動し開口量を調整することができるので、排出量の調整が容易であることは言うまでもなく、
【００１５】
さらに、第五の発明によれば、前記揺動アームの揺動範囲を規制する調節自在のストパーを有するものとしたので、蓋体の排出口における開口度を正確に規制し、被排出物の散布量を容易に且つ正確にする作用をする。
【００１６】
また、第六の発明によれば、前記揺動アームとカムとの係合が外されて、蓋体の附勢力を解除する際に、蓋体をいきおい良く閉塞させると共に、前記揺動アームがストッパーに衝突してその衝撃によって振動を発生させ、ホッパー内に振動を伝え、被散布物の固化するのを防止することができる。
【００１７】
【発明の実施の形態】
以下、本発明の実施例を図について説明する。図１は、本発明の粉状物または粒状物の散布装置を示し、１は、粉体物または粒状物である肥料等の被散布物を収納するためのホッパーを示し、一部欠載されて示されている。このホッパー１の底部には、開口２があって、この開口２を塞ぐ蓋体３がホッパー１に軸４により枢支されている。而して、前記蓋体３と開口２の間には、ブラシ５によって、隙間を塞がれている。軸４は、ホッパー１に固定した側板２２に軸支されている。
【００１８】
この蓋体３は、断面円弧状を呈しており、膨らみ部３’が、前記ホッパーの開口２内に臨んで設けられている。この蓋体３の軸４には、揺動アーム６を有しており、アーム６の一端７は、圧縮スプリング８に係合している。このアームの他端１８は、原動機９によって駆動されるカム１０と係脱するよう対峙されている。
【００１９】
１１は、揺動アーム６の揺動範囲を規制するストッパーを示し、調節自在に固定部材１２と螺合せしめられている。図２は、蓋体３を取り出して描かれた斜視図で、端部に複数の切欠１３、１３が設けられている。而して、この切欠１３と開口２の一端との間で、開口度が決定され、散布物の排出量を調整することができる。揺動アーム６とカム１０との間には、ベアリング２１が設けられている。実施例では、揺動アーム６にベアリング２１が枢着されている。
【００２０】
次に、図３乃至図５は、蓋体３によって開口２を完全に閉塞した状態を示し、図６乃至図８は、開口２が、蓋体３によって隙間を与え、被散布物が散布される状態をそれぞれ示している。図３及び図６は、側面図を示し、図４及び図７は、ホッパーの上面から見た図を示し、また、図５及び図８は、正面図をそれぞれ示している。
【００２１】
図３乃至図８において、ホッパー１の開口部には、下端にそれぞれブラシ５、５を有する調整板１４，１５が調整螺子１６，１７によって、ホッパー１に取り付けられている。このブラシ５、５は、蓋体３と摺接している。
【００２２】
次に、作動について説明する。前記原動機９は、実施例では、ギヤードモータを使用し、モータ２０に通電されると、カム１０が、所定方向に回転される。カム１０は、揺動アーム６の一端と係合し、スプリング８を圧縮しながら回転させられる。従って、蓋体３を閉塞した位置へ移動させる。このとき、カム１０の他の部分でリミットスイッチ１９を作動させ、例えば、モータの通電回路（図示せず）を遮断する。そのため、この状態で、ホッパー１内に、被散布物Ａを投入する。このとき、蓋体３の円弧状の膨らみ部３’は、ホッパー１内に迫り出して位置している。
【００２３】
電気回路（図示せず）の前記リミットスイッチ１９を一時的に閉成すると、カム１０は、揺動アーム６から外れる。揺動アーム６は、スプリング８によって反発され、勢いよく蓋体３を回転させ、図６乃至図８の状態へ移動させる。
このとき、揺動アーム６は、開度調整用のストッパー１１にて、回転を規制される。その位置で、蓋体３とホッパー１の底部の開口２との間の隙間から、被散布物が、落下して流出せしめられる。この間にも、カム１０は、回転を続けており、カム１０が再び揺動アーム６と係合すると徐々に蓋体３は、開口２を閉塞して行き、カム１０の最上端近くで、リミットスイッチ１９を作動させる。しかし、電気回路上で、リミットスイッチ１０の回路が並列回路で、通電保持されているとモータ２０は回転を続けることができる。
【００２４】
上記ストッパー１１は、固定部材１２に螺合しているので、固定部材１２から出入させることにより、蓋体３の揺動範囲を規制し、調整することが出来、即ち、蓋体３と開口２との隙間の開度を調整することができる。
【００２５】
前記カム１０が揺動アーム６と係合し、蓋体３を閉塞していくとき、モータの力で蓋体３を開口２にある被散布物Ａを切り込むように作用し、開口２と蓋体３間に位置する被散布物が、たとえ固まりの状態であっても、噛み砕く作用を与え、塊になりやすい発酵堆肥などは、容易に噛み砕かれて所望の散布をすることができる。
【００２６】
また、カム１０が、揺動アーム６との係合が外れて、揺動アーム６が、スプリング８の附勢によってストッパー１１と当接するとき、ストッパー１１に衝突作用が働き、振動を生じ、その振動が、ホッパー１内の被散布物に及んで適度の攪拌作用を与え、固まろうとする作用を防止させることができる。さらに、蓋体がカムによって開口を閉塞方向に回転させられるとき、蓋体の膨らみ部が、被散布物を排出口の方向へ摩擦力によって誘導する作用をし、排出を促進させる。
【００２７】
【発明の効果】
以上説明したように、従来例のようなホッパー内に回転攪拌機構を設けていることによる肥料等の固化による駆動源への過負荷を防止できる。
【００２８】
さらに、蓋体は、ホッパーの開口に摺接しており、被散布物を切り込む方向に回転揺動するので、円滑な作動をすることが出来、たとえ散布物が固化しようとしても、噛み砕いて排出することが出来、目詰まりを防止することができる。
【００２９】
また、揺動アームとストッパーとの衝突作用によって、振動を誘起させ、その振動によって、被散布物を常に拡散させ、固化作用を軽減させることが出来る。
【００３０】
更にまた、蓋体には、複数の切欠を設けているので、開口との間でできる隙間を微調整することができる上に、上記せる如くこの切欠と開口の端縁とで、固化している被散布物を粉砕する作用をすることが出来、簡単な構造で安価に提供することが出来、産業上益するところ大なるものである。
【図面の簡単な説明】
【図１】本発明の粉状物または粒状物の散布装置の実施例を示す斜視図である。
【図２】本発明の粉状物または粒状物の散布装置の蓋体を取り出した斜面図である。
【図３】本発明の粉状物または粒状物の散布装置を示し、蓋体の閉塞状態における側面図である。
【図４】本発明の粉状物または粒状物の散布装置を示す図３の上面図である。
【図５】本発明の粉状物または粒状物の散布装置を示し、図３の正面図である。
【図６】本発明の粉状物または粒状物の散布装置の開蓋状態における側面図である。
【図７】本発明の粉状物または粒状物の散布装置の開蓋状態における上面図である。
【図８】本発明の粉状物または粒状物の散布装置の開蓋状態における正面図である。
【符号の説明】
１　　　　　　　ホッパー
２　　　　　　　開口
３　　　　　　　蓋体
３’　　　　　　膨らみ部
４　　　　　　　軸
５　　　　　　　ブラシ
６　　　　　　　揺動アーム
７　　　　　　　揺動アームの一端
８　　　　　　圧縮スプリング
９　　　　　　　原動機
１０　　　　　　　カム
１１　　　　　　　ストッパー
１２　　　　　　　固定部材
１３　　　　　　　切欠
１４、１５　　　　調整板
１６，１７　　　　調整螺子
１８　　　　　　　揺動アームの他端
１９　　　　　　　リミットスイッチ
２０　　　　　　　モータ
２１　　　　　　　ベアリング
２２　　　　　　　側板
Ａ　　　　　　　　被散布物
【図１】
2004008050.tif 000003
【図２】
2004008050.tif 000004
【図３】
2004008050.tif 000005
【図４】
2004008050.tif 000006
【図５】
2004008050.tif 000007
【図６】
2004008050.tif 000008
【図７】
2004008050.tif 000009
【図８】
2004008050.tif 000010